(57)【要約】【課題】広告が確実に閲覧されるとともに無理なくインターネット接続料金が無料となるポイントサービスシステムを提供する。【解決手段】Ｗｅｂサーバーを、会員用端末機から送信の会員情報に会員属性を付与する会員情報管理手段と、会員用端末機に所定ソフトまたは所定ＵＲＬを送信する所定ソフト・ＵＲＬ管理手段と、依頼広告に広告属性を付与する依頼広告管理手段と、会員属性と広告属性を比較して依頼広告を所定会員に送信する依頼広告選択手段と、依頼広告のクリック情報に基づいてポイント数を発行するポイント発行手段と、一定期間経過後の累計ポイント数に付与される金額から一定期間に対応するインターネット接続料金を引算した結果がマイナスである場合には強制的に会員用端末機に依頼広告を表示してプラスとなるようにポイント数を管理するポイント管理手段を備える構成とし、会員用端末機画面のツールバー表示部に依頼広告やポイント数を表示する。【選択図】図１
2010157162.tif 000002
【特許請求の範囲】
【請求項１】
インターネットに接続される利用者用端末装置と、該インターネットに接続される広告依頼者用端末装置と、広告依頼者から依頼された広告を該インターネットを介して該利用者用端末機に提供するＷｅｂサーバーと、からなるインターネット広告を利用した会員制ポイントサービスシステムにおいて、
入会希望者の前記利用者用端末機から送られた会員情報を記憶するとともに該会員情報に基づいて会員属性を付与し管理する会員情報管理手段と、
入会希望者の前記利用者用端末機に所定のアプリケーションソフトまたは所定のＵＲＬを送信する所定ソフト・ＵＲＬ管理手段と、
広告依頼者の依頼広告を記憶するとともに該依頼広告に広告見出しを含む広告属性を付与し管理する依頼広告管理手段と、
前記会員属性と前記広告属性とを比較演算して該依頼広告から会員の前記利用者用端末機を選択し送信する依頼広告選択手段と、
前記利用者用端末機に表示された前記広告見出しおよび／または前記依頼広告の所定箇所がクリックされたときに該利用者用端末機から送信されるクリック情報を管理するクリック情報管理手段と、
前記クリック情報に基づいて所定のポイント数を発行し、一定期間内の累計ポイント数を送信するポイント発行手段と、
前記ポイント数に所定の経済価値を付与し一定期間経過後の前記累計ポイント数に付与される金額から一定期間に対応するインターネット接続料金を差し引いた算出結果がマイナスである場合には、強制的に前記利用者用端末機に前記依頼広告を表示して、前記算出結果がゼロまたはプラスとなるようにポイント数を管理するポイント管理手段と、
を備える、ことを特徴とする会員制インターネット接続料金無料サービスシステムに使用するＷｅｂサーバー。
【請求項２】
所定の清算期間経過後に前記算出結果がプラスとなる場合は翌清算期間にプラス分のポイント数を繰り越し、マイナスとなる場合はマイナス分に相当するインターネット接続料金を前記利用者用端末機に送付する接続料金算出手段を備える、ことを特徴とする請求項1に記載の会員制インターネット接続料金無料サービスシステムに使用するＷｅｂサーバー。
【請求項３】
前記所定のアプリケーションソフトは前記利用者用端末機にインストールされることにより、インターネットの閲覧プログラムで表示される該利用者用端末機の画面のツールバー表示部に前記広告見出しが表示される広告表示部および前記累計ポイント数が表示されるポイント表示部を表示させる手段、前記広告表示部がクリックされ、および／またはマウスポインターが合わされることにより該広告見出しに対応する前記依頼広告が表示される手段、前記広告表示部がクリックされたときのクリック情報、および該依頼広告の所定箇所がクリックされたときのクリック情報を該利用者用端末機から送信させる手段、を前記利用者用端末機に付与する、ことを特徴とする請求項1または請求項２に記載の会員制インターネット接続料金無料サービスシステムに使用するＷｅｂサーバー。
【請求項４】
前記所定のＵＲＬは前記利用者用端末機に前記広告見出しが表示される広告表示部および前記累計ポイント数が表示されるポイント表示部をポップアップ表示する手段、前記広告表示部がクリックされることにより、および／またはマウスポインターが合わされることにより前記広告見出しに対応する前記依頼広告を表示させる手段、前記広告表示部がクリックされたときのクリック情報、および前記依頼広告の所定箇所がクリックされたときのクリック情報を該利用者用端末機から送信させる手段、を備える、ことを特徴とする請求項1または請求項２に記載の会員制インターネット接続料金無料サービスシステムに使用するＷｅｂサーバー。
【請求項５】
前記依頼広告の所定箇所は該依頼広告中に示唆される箇所であり、または前記依頼広告の内容が次画面に表示された画面上で確認される箇所であり、
前記ポイント発行手段は前記広告表示部の所定箇所がクリックされることにより通常のポイント数よりも多いボーナスポイント数を発行する、ことを特徴とする請求項１ないし請求項４のいずれかに記載の会員制インターネット接続料金無料サービスシステムに使用するＷｅｂサーバー。
【請求項６】
インターネットに接続される利用者用端末装置と、該インターネットに接続される広告依頼者用端末装置と、該広告依頼者から依頼された広告を、該インターネットを介して該利用者用端末機に提供するＷｅｂサーバーと、からなるインターネット広告を利用した会員制ポイントサービスシステムにおいて、
請求項２に記載の所定のアプリケーションソフトがインストールされて、インターネットの閲覧プログラムで表示される前記利用者用端末機の画面のツールバー表示部に請求項１または請求項２に記載の広告見出しが表示される広告表示部および累計ポイント数が表示されるポイント表示部を表示する広告・ポイント表示手段と、
前記広告表示部がクリックされ、および／またはマウスポインターが合わされることにより前記広告見出しに対応する依頼広告が表示される依頼広告表示手段と、
前記広告表示部がクリックされたときのクリック情報、および該依頼広告の所定箇所がクリックされたときのクリック情報を送信するクリック情報送信手段と、
を備える、ことを特徴とする会員制インターネット接続料金無料サービスシステムに使用する利用者用端末装置。
【発明の詳細な説明】
【技術分野】
【０００１】
本発明は、インターネットに接続された端末装置に表示されるインターネット広告を利用したポイントサービスシステムに関し、特に、インターネット接続料金を無料にするサービスシステムに関する。
【背景技術】
【０００２】
インターネット上のホームページを介して商品や役務の広告を行うシステムとして、例えば、ショッピング用の広告ページに、複数の広告依頼者からの依頼に基づいて、広告ページ画面の所定の部分にこれらの企業名等の広告表示部を掲載し、利用者がこの広告表示部をクリックすることで、より詳細な内容が掲載された広告画面を表示させるようにしたシステムがある。また、ホームページの一部に所謂バナー広告を表示し、ホームページの利用者がこのバナー広告の部分をクリックすることでより詳細な内容が表示された広告ページを閲覧することができるシステムがある。
【０００３】
これらのシステムでは、例えば、所定のホームページを閲覧している利用者が、この企業名等の広告表示やバナー広告等の広告表示部をクリックすることで、より詳細な広告情報にアクセスして表示された商品の写真やサービスの内容を見て、ネットワークを通じて購入の申込みを行えるようされている。
【０００４】
また、ホームページで情報を提供している情報提供会社は、この広告表示部の提供や具体的な個々の商品やサービスなどを表示した広告ページをホームページ上に表示することで広告依頼者から収入を得ている。したがって、利用者が広告表示部や広告ページをクリックする回数が多いほど、広告の宣伝効果があることになり、情報提供会社の収入にも影響する場合がある。
【０００５】
しかしながら、このようなインターネットを利用した広告システムの利用促進のためには、利用者にとってもメリットがあることが必要である。そのため、広告閲覧の利用者に所定のポイントを与える広告システムが提案されている。
例えば、特許文献１は「広告料金の支払いを販売実績に応じて行ない、インターネットを利用して商品等を購入する利用者に特典を提供することを可能にしたインターネット広告を利用したポイントサービスシステムを提供する」ことを課題とし、その解決手段として「ＷＷＷサーバーには、利用者用の端末に広告表示部を含むホームページを表示するホームページ表示手段と、利用者用の端末におけるクリック情報と、広告依頼者用の端末に対して送信された申込情報とを記憶するアクセス履歴記憶手段と、支払金額に応じたポイント発行手段と、ポイント発行手段で発行されたポイントを記憶するポイント管理手段と、ポイント発行手段で発行されたポイントを利用者用の端末に送信する通信手段とを有し、利用者用の端末には、カードの記憶部又は記録部に対して、サーバーから受信したポイントを記憶又は記録させる記憶手段又は記録手段を有するカードリーダライタを備えた」構成としている。また、特許文献２は「開設したホームページにより多くのクライアントにアクセスさせることを可能としたインターネットにおけるポイント付与システムを提供すること」を課題とし、その解決手段として「インターネットの商材情報ホームページの各広告主の欄にハイパーリンクを設置してクライアントの同リンクへのアクセスを促す。そして同リンクを介して移動した先のホームページ上における問題に対して解答した解答データに基づいてサーバー側でクライアント毎にポイントを算定し、ホームページ上でこの獲得ポイントを開示させるようにする。その獲得ポイントは広告主の商品購入の際に所定の交換比率で還元することができる」構成としたものである。
【特許文献１】特開２００３−５０９５０号公報
【特許文献２】特開２００３−６７６２０号公報
【発明の開示】
【発明が解決しようとする課題】
【０００６】
ところで、特許文献１および特許文献２はいずれも所定のホームページにハイパーリンクを設置しているように、これらのポイントサービスシステムでは、既存のホームページ上にハイパーリンクを設置し、あるいは、バナー広告により広告依頼者のホームページへのアクセスを促すようにする手法を採用していた。また、広告による収入でプロバイダー料金を無料にしている、いわゆる無料プロバイダーは広告の表示場所として、ポップアップ画面やインターネット通信の本文中などに広告スペースをとっていた。そのため、利用者にとって広告を表示した画面に違和感があり、広告の閲覧に抵抗感が生じるといった問題があった。
【０００７】
そこで、本発明は、既存のホームページに依存することなく、依頼広告の内容が確実に理解され、知らず知らずに広告を閲覧する利用者のインターネット接続料金が無料となる会員制のインターネット接続料金無料サービスシステムに使用するＷｅｂサーバーおよび利用者用の端末装置を提供することを課題とする。
【課題を解決するための手段】
【０００８】
上記目的を達成するため、本願請求項１に係る会員制インターネット接続料金無料サービスシステムに使用するＷｅｂサーバーは、インターネットに接続される利用者用端末装置と、該インターネットに接続される広告依頼者用端末装置と、広告依頼者から依頼された広告を該インターネットを介して該利用者用端末機に提供するＷｅｂサーバーと、からなるインターネット広告を利用した会員制ポイントサービスシステムにおいて、入会希望者の前記利用者用端末機から送られた会員情報を記憶するとともに該会員情報に基づいて会員属性を付与し管理する会員情報管理手段と、入会希望者の前記利用者用端末機に所定のアプリケーションソフトまたは所定のＵＲＬを送信する所定ソフト・ＵＲＬ管理手段と、広告依頼者の依頼広告を記憶するとともに該依頼広告に広告見出しを含む広告属性を付与し管理する依頼広告管理手段と、前記会員属性と前記広告属性とを比較演算して該依頼広告から会員の前記利用者用端末機を選択し送信する依頼広告選択手段と、前記利用者用端末機に表示された前記広告見出しおよび／または前記依頼広告の所定箇所がクリックされたときに該利用者用端末機から送信されるクリック情報を管理するクリック情報管理手段と、前記クリック情報に基づいて所定のポイント数を発行し、一定期間内の累計ポイント数を送信するポイント発行手段と、前記ポイント数に所定の経済価値を付与し一定期間経過後の前記累計ポイント数に付与される金額から一定期間に対応するインターネット接続料金を差し引いた算出結果がマイナスである場合には、強制的に前記利用者用端末機に前記依頼広告を表示して、前記算出結果がゼロまたはプラスとなるようにポイント数を管理するポイント管理手段と、を備える、ことを特徴としている。なお、インターネット接続料金とは、プロバイダー料金あるいはプロバイダー料金と回線料金を合算した料金をいい、「広告見出し」とは、依頼広告の内容や概要を端的に表現する文言や図等をいい、「一定期間に対応するインターネット接続料金」とは、インターネット接続料金の基準となる期間が１ヶ月単位、すなわち月額とした場合に、例えば、１日あるいは１週間を一定期間とすれば、「一定期間に対応するインターネット接続料金」は月額料金の略１／３０あるいは略１／４となる。
また、本願請求項２に係る会員制インターネット接続料金無料サービスシステムに使用するＷｅｂサーバーは、請求項１に記載の会員制インターネット接続料金無料サービスシステムに使用するＷｅｂサーバーであって、所定の清算期間経過後に前記算出結果がプラスとなる場合は翌清算期間にプラス分のポイント数を繰り越し、マイナスとなる場合はマイナス分に相当するインターネット接続料金を前記利用者用端末機に送付する接続料金算出手段を備える、ことを特徴としている。なお、清算期間とは、インターネット接続料金請求の基準となる期間をいい、通常は１ヶ月毎に請求する月額料金である。
そして、本願請求項３に係る会員制インターネット接続料金無料サービスシステムに使用するＷｅｂサーバーは、請求項１または請求項２に記載の会員制インターネット接続料金無料サービスシステムに使用するＷｅｂサーバーであって、前記所定のアプリケーションソフトは前記利用者用端末機にインストールされることにより、インターネットの閲覧プログラムで表示される該利用者用端末機の画面のツールバー表示部に前記広告見出しが表示される広告表示部および前記累計ポイント数が表示されるポイント表示部を表示させる手段、前記広告表示部がクリックされ、および／またはマウスポインターが合わされることにより該広告見出しに対応する前記依頼広告が表示される手段、前記広告表示部がクリックされたときのクリック情報、および該依頼広告の所定箇所がクリックされたときのクリック情報を該利用者用端末機から送信させる手段、を前記利用者用端末機に付与する、ことを特徴としている。
さらに、本願請求項４に係る会員制インターネット接続料金無料サービスシステムに使用するＷｅｂサーバーは、請求項１または請求項２に記載の会員制インターネット接続料金無料サービスシステムに使用するＷｅｂサーバーであって、前記所定のＵＲＬは前記利用者用端末機に前記広告見出しが表示される広告表示部および前記累計ポイント数が表示されるポイント表示部をポップアップ表示する手段、前記広告表示部がクリックされることにより、および／またはマウスポインターが合わされることにより前記広告見出しに対応する前記依頼広告を表示させる手段、前記広告表示部がクリックされたときのクリック情報、および前記依頼広告の所定箇所がクリックされたときのクリック情報を該利用者用端末機から送信させる手段、を備える、ことを特徴としている。
また、本願請求項５に係る会員制インターネット接続料金無料サービスシステムに使用するＷｅｂサーバーは、請求項１ないし請求項４のいずれかに記載の会員制インターネット接続料金無料サービスシステムに使用するＷｅｂサーバーであって、前記依頼広告の所定箇所は該依頼広告中に示唆される箇所であり、または前記依頼広告の内容が次画面に表示された画面上で確認される箇所であり、前記ポイント発行手段は前記広告表示部の所定箇所がクリックされることにより通常のポイント数よりも多いボーナスポイント数を発行する、ことを特徴としている。なお、「依頼広告中に示唆される箇所」とは、明記された箇所ではなく、依頼広告中の記載内容によりその箇所が判断可能な箇所であり、「依頼広告の内容が次画面に表示された画面上で確認される箇所」とは、例えば、依頼広告の記載内容に基づいて、次画面に表示された画面上に表示された広告中にクイズ形式で出題された選択肢の「正解」となる箇所である。
そして、本願請求項６に係る会員制インターネット接続料金無料サービスシステムに使用する利用者用端末装置は、インターネットに接続される利用者用端末装置と、該インターネットに接続される広告依頼者用端末装置と、該広告依頼者から依頼された広告を、該インターネットを介して該利用者用端末機に提供するＷｅｂサーバーと、からなるインターネット広告を利用した会員制ポイントサービスシステムにおいて、請求項２に記載の所定のアプリケーションソフトがインストールされて、インターネットの閲覧プログラムで表示される前記利用者用端末機の画面のツールバー表示部に請求項１または請求項２に記載の広告見出しが表示される広告表示部および累計ポイント数が表示されるポイント表示部を表示する広告・ポイント表示手段と、前記広告表示部がクリックされ、および／またはマウスポインターが合わされることにより前記広告見出しに対応する依頼広告が表示される依頼広告表示手段と、前記広告表示部がクリックされたときのクリック情報、および該依頼広告の所定箇所がクリックされたときのクリック情報を送信するクリック情報送信手段と、を備える、ことを特徴としている。
【発明の効果】
【０００９】
上記の構成により、本願発明は以下の効果を奏する。
（１）会員情報に基づき、あるいは、所定のアプリケーションソフト（以下、本明細書では「所定ソフト」という。）がインストールされた利用者用端末装置による利用者の閲覧するホームページの情報に基づき、その内容にマッチした広告を表示することができる。このため表示された依頼広告と会員が好んで閲覧する広告がマッチするため、広告依頼者の広告効果が大きくなる。また、広告表示方法にツールバー表示部を使うことで既存のホームページとは別の箇所に固定して広告表示が可能なため、利用者には違和感や抵抗感がなくインターネットを利用できる。
（２）所定のＵＲＬにアクセスすることにより、ツールバー表示部とは別個の利用者用端末機の画面の一部分に広告表示部およびポイント表示部が表示されるため、画面の一部分表示に違和感や抵抗感がない利用者には、所定ソフトをインストールせずとも会員制インターネット接続料金無料サービスシステムの恩恵を享受することができる。
（３）会員情報および／または利用者の閲覧するホームページの情報の内容にマッチした特定会員限定情報や地域限定情報等の人的密着型、地域密着型の広告が可能になり、費用対効果が一段と上昇する。
（４）クイズ形式のように、広告表示部の所定箇所のクリックすることでより多くのボーナスポイント数が得られるため、会員の射幸心を煽り広告内容が確実に理解されるようになる。
（５）本インターネット接続料金無料サービスシステムではインターネット利用時間が１日当たり１時間ないし２時間程度の通常の利用者であれば、知らず知らずの内にインターネット接続料金が無料となるが、仮に、インターネット利用時間通常の利用者よりも少ない場合であっても、一定期間経過後の累計ポイント数に付与される金額から一定期間に対応するインターネット接続料金を差し引いた算出結果がマイナスである場合には、強制的に利用者用端末機に依頼広告を表示して、算出結果がゼロまたはプラスとなるようにポイント数が管理されるため、確実にインターネット接続料金が無料となり、会員となった利用者のメリットが大きい。
（６）所定の清算期間経過後に算出結果がプラスとなる場合は翌清算期間にプラス分のポイント数が繰り越されることにより、清算期間毎の使用時間数に変化がある利用者にとっては使用時間数の変化によるデメリットが解消される。なお、算出結果がマイナスとなった場合は、マイナス分に相当するインターネット接続料金が請求されるが、これに該当する利用者は殆どインターネットを接続しない会員であり、当該会員はインターネット接続料金を無料とするために、少ない接続時間を利用して広告表示部にアクセスしようとするから、このような利用者に対しても、依頼広告の効果が大きくなる。
【発明を実施するための最良の形態】
【００１０】
以下、本発明を実施するための最良の形態に係る実施例について、図１ないし図３に基づいて説明する。なお、図１は、本発明の実施例に係る会員制インターネット接続料金無料サービスシステムの全体構成図であり、図２は、本発明の実施例に係る会員用端末装置に表示されるホームページの一例の画面であり、図３は、本発明の実施例に係る会員制インターネット接続料金無料サービスシステムの処理手順を示すフローチャートである。
なお、図１および図２において、符号１はＷｅｂサーバー、符号１１は会員情報管理手段、符号１２は所定ソフト・ＵＲＬ管理手段、符号１３は依頼広告管理手段、符号１４は依頼広告選択手段、符号１５はクリック情報管理手段、符号１６はポイント発行手段、符号１７はポイント管理手段、符号１８は接続料金算出手段、符号３は利用者用端末装置、符号３１は入力手段、符号３２は広告・ポイント表示手段、符号３３は依頼広告表示手段、符号３４はクリック情報送信手段、符号３６は利用者用端末装置の画面、符号３７はツールバー表示部、符号３８は広告表示部、符号３９はポイント・料金表示部、符号５は広告依頼者用端末装置、符号７はインターネット、である。
【００１１】
まず、図１および図２に基づいて、本発明に係る会員制インターネット接続料金無料サービスシステム（以下、「接続料金無料サービスシステム」という。）について説明する。
本発明に係る接続料金無料サービスシステムはインターネット７に接続されるプロバイダー側のＷｅｂサーバー１と、インターネット７に接続される複数の会員の利用者用端末装置３と、インターネット７に接続される複数の広告依頼者用端末装置５と、から構成されているが、広告依頼者用端末装置５は必ずしも必須の構成部材ではない。
【００１２】
Ｗｅｂサーバー１は、入会希望者の利用者用端末機３から送られた会員情報に基づいて会員属性テーブルの項目毎に分類し記憶する会員情報管理手段１１と、入会希望者の利用者用端末機３に所定ソフトまたは所定のＵＲＬを送信する所定ソフト・ＵＲＬ管理手段１２と、広告依頼者の依頼広告を記憶するとともに、この依頼広告を会員属性テーブルの項目に対応する広告属性テーブルの項目毎に広告見出しを含めて分類し記憶する依頼広告管理手段１４と、会員属性テーブルと広告属性テーブルとを比較して所定項目が一致する会員の利用者用端末機３を選択して依頼広告を送信する依頼広告選択手段１４と、利用者用端末機３に表示された依頼広告の広告見出しや所定箇所がクリックされたときに利用者用端末機３から送信されるクリック情報を管理するクリック情報管理手段１５と、クリック情報に基づいて所定のポイント数を発行し、一定期間内の累計ポイント数を送信するポイント発行手段ポイント発行手段１６と、ポイント数に所定の経済価値を付与し一定期間経過後の累計ポイント数に付与される金額から一定期間に対応するインターネット接続料金を差し引いた算出結果がマイナスである場合には、強制的に利用者用端末機に依頼広告を表示して、この算出結果がゼロまたはプラスとなるようにポイント数を管理するポイント管理手段１７と、所定の清算期間経過後に算出結果がプラスとなる場合は翌清算期間にプラス分のポイント数を繰り越し、マイナスとなる場合はマイナス分に相当するインターネット接続料金を利用者用端末機に送付する接続料金算出手段１８と、を備えている。
【００１３】
会員属性テーブル項目には、例えば、住所、電話番号、氏名、年齢、性別、職業、家族構成、趣味、嗜好品等があり、広告属性テーブル項目には、例えば、広告が商品である場合、対象商品の特性・嗜好性、対象商品の地域性、対象年齢、対象とする性別、対象職業、対象家族構成等がある。また、クリック情報には、利用者用端末機３に関連付けられたクリック回数、クリック箇所、クリック日時等がある。
【００１４】
所定ソフトは利用者用端末機３にインストールされることにより、インターネットの閲覧プログラムで表示される利用者用端末機の画面３６のツールバー表示部３７に広告見出しを表示する広告表示部３８と累計ポイントやインターネット接続料金を表示するポイント・料金表示部３９を表示させ、利用者用端末機３に表示された広告表示部３８がクリックされたときのクリック情報、および広告表示部３８がクリックされて広告見出しに対応する依頼広告が表示されこの依頼広告の所定箇所がクリックされたときのクリック情報を、この利用者用端末機３からＷｅｂサーバー１に送信させる機能を備えるようになる。
なお、広告表示部３８をクリックする代わりにマウスポインターを合わせることにより、広告見出しに対応する依頼広告を表示するようにしても良い。また、所定ソフトのインストールを希望しない利用者に対しては、所定のＵＲＬにアクセスすることにより、利用者用端末機３の画面に広告見出しを表示する広告表示部および累計ポイント数を表示するポイント表示部をポップアップ表示させるようにしても良い。
【００１５】
そして、広告表示部３８の所定箇所は、例えば、依頼広告中の記載を読むことにより理解できる箇所であり、さらには、前画面の依頼広告中に解答内容が記載され、後画面の依頼広告中に選択肢が示されるようなクイズ形式とした正解となる箇所であっても良い。そして、所定箇所をクリックすることにより通常のポイント数よりも多いボーナスポイント数を発行するようにしている。
【００１６】
利用者用端末機３は、入会希望する利用者の会員情報を入力する入力手段３１と、この会員情報をＷｅｂサーバー１に送信する通信手段３２と、所定ソフトをインストールすることにより、インターネットの閲覧プログラムで表示される利用者用端末装置の画面３６のツールバー表示部３７に広告見出しが表示される広告表示部３８および累計ポイント数が表示されるポイント・料金表示部３９を表示する広告・ポイント表示手段３２と、広告表示部３８がクリックされ、またはマウスポインターが合わされることにより広告見出しに対応する依頼広告が表示される依頼広告表示手段３３と、広告表示部３８がクリックされたときのクリック情報、および依頼広告の所定箇所がクリックされたときのクリック情報を送信するクリック情報送信手段３４と、を備えている。利用者用端末機３は、通常のインターネット端末機と同様の構成であり、異なるところは、所定ソフトがインストールされているところにある。
なお、前述のように、所定ソフトをインストールしないで所定のＵＲＬにアクセスすることにより、本接続料金無料サービスシステムの恩恵を享受することができるが、この場合であっても会員情報をＷｅｂサーバー１に送信することが前提となる。
【００１７】
広告依頼者用端末装置５は、通常のインターネット端末機と同様の構成であって、制御手段、記憶手段、入力手段、表示手段および通信手段を備え、所定ソフトのインストールは不要である。
【００１８】
つぎに、本発明に係る接続料金無料サービスシステムの流れについて、図３を基に説明する。
接続料金無料サービスシステムの入会希望者は、例えば、接続料金無料サービスシステムを提供するプロバイダーのホームページにアクセスして、表示された申し込み画面に、住所、電話番号、氏名、年齢、性別、職業等の会員登録に必要な会員情報を記入するとともに、「所定ソフト」か「所定ＵＲＬ」かを選択し「送信」ボタンをクリックする（Ｓ１０１）。Ｗｅｂサーバー１に送られた会員情報は会員情報テーブルの各項目に登録されて記憶される（Ｓ１０２）。そして、所定ソフトを選択した入会希望者の利用者用端末装置３に所定ソフトが送信され（Ｓ１０３）、所定ＵＲＬを選択した入会希望者の利用者用端末装置３には、所定ＵＲＬが通知される。
所定ソフトをインストールする（Ｓ１０４）ことにより利用者用端末装置３では、適当なホームページを立ち上げたときに、利用者用端末装置の画面３６のツールバー表示部３７に、広告表示部３８およびポイント・料金表示部３９が表示される。なお、所定ＵＲＬにアクセスすることにより、利用者用端末機３に広告見出しが表示される広告表示部および累計ポイント数が表示されるポイント表示部がポップアップ表示される。
【００１９】
一方、広告依頼者から広告掲載の依頼（Ｓ２０１）を受けたプロバイダーは依頼広告に対して広告見出しを含む所定の広告属性を付与しＷｅｂサーバー１の広告属性テーブルに登録する（Ｓ２０２、Ｓ１０５）。そして、会員属性テーブルと広告属性テーブルとを比較演算して所定項目が一致する依頼広告を当該会員の利用者用端末機３を選択して送信する（Ｓ１０６）と、当該会員の利用者用端末機３の広告表示部３８には送信された広告見出しが表示される。なお、所定項目が一致する場合とは、例えば、広告属性項目が「２０代女性対象」となっている場合には、会員属性項目の年齢が「２０代」、性別が「女」に該当する会員の利用者用端末機３を選択することになる。
【００２０】
利用者用端末装置の画面３６のツールバー表示部３７には複数の依頼広告の広告見出しが広告表示部３８に表示されるが、その広告見出しをクリックすることにより広告見出しに対応する依頼広告が表示され（Ｓ１０７）、この依頼広告の所定箇所をクリックする（Ｓ１０８）ことにより、クリック情報がＷｅｂサーバー１に送信され（Ｓ１０９）、利用者用端末機３に関連付けられてＷｅｂサーバー１に登録される（Ｓ１１０）。そして、Ｗｅｂサーバー１はクリック情報に基づいて所定のポイント数を発行して（Ｓ１１１）当該利用者端末機３に送信し、当該利用者端末機３ではポイント・料金表示部３９に一定期間の累計ポイントが表示される（Ｓ１１２）。
なお、表示広告中の記載内容に示唆された所定箇所をクリックすることにより、通常のポイント数よりも多いボーナスポイント数を発行するようにしても良いことは、前述の通りである。
【００２１】
一定期間経過後の累計ポイント数に付与される金額から一定期間に対応するインターネット接続料金を引き算して（Ｓ１１３）、演算結果がマイナスであるか否かを判断し（Ｓ１１４）、マイナスの場合には、強制的に利用者用端末機３に依頼広告を表示する（Ｓ１１５）。
例えば、一定期間が１週間であり、精算期間が１ヶ月であるとして、インターネット接続料金が４，０００円／月であり、１週間の累計ポイント数の経済価値が６００円であった場合には、一定期間に対応するインターネット接続料金は４，０００円／月×７日／３０日≒９３３円であるため、６００円−９３３円＝−３３３円となって演算結果がマイナスになる。このため、ポイント数の経済価値が３５０円〜４００円となるように、利用者用端末機３に依頼広告を強制的に表示する。
なお、強制的な表示は、予め利用者用端末機３に依頼広告を表示する旨のコメントを流してから行うようにする。
【００２２】
精算期間経過後、精算期間における累計ポイント数に付与される金額から精算期間に対応するインターネット接続料金を引き算して（Ｓ１１６）、演算結果がマイナスであるか否かを判断し（Ｓ１１７）、ゼロまたはプラスの場合には、当該精算期間のインターネット接続料金は発生せず無料となり（Ｓ１１８）、マイナスの場合には、当該精算期間のインターネット接続料金が発生して（Ｓ１１９）、ポイント・料金表示部３９に表示される。なお、演算結果がプラスの場合には、このプラス分を翌精算期間に繰り越すようにしても良い。また、インターネット接続料金が発生した場合には、利用者は適当な手段でインターネット接続料金をプロバイダーに支払う。
【００２３】
一方、広告依頼者に対しては、Ｓ１１０で登録されたクリック情報に基づいて広告料金が算出され（Ｓ２０３）、この広告料金の請求が広告依頼者に送付される（Ｓ２０４）。なお、Ｓ２０１の「広告の依頼」やＳ２０４の「広告料金の請求」は、広告依頼者用端末機５を介して行っても、他の手段により行っても良い。
【図面の簡単な説明】
【００２４】
【図１】図１は、本発明の実施例に係る会員制インターネット接続料金無料サービスシステムの全体構成図である。
【図２】図２は、本発明の実施例に係る会員用端末装置に表示されるホームページの一例の画面である。
【図３】図３は、本発明の実施例に係る会員制インターネット接続料金無料サービスシステムの処理手順を示すフローチャートである。
【符号の説明】
【００２５】
１  Ｗｅｂサーバー
１１  会員情報管理手段
１２  所定ソフト・ＵＲＬ管理手段
１３  依頼広告管理手段
１４  依頼広告選択手段
１５  クリック情報管理手段
１６  ポイント発行手段
１７  ポイント管理手段
１８  接続料金算出手段
３  利用者用端末装置
３２  広告・ポイント表示手段
３３  依頼広告表示手段
３４  クリック情報送信手段
５  広告依頼者用端末装置
７  インターネット
【図１】
2010157162.tif 000003
【図２】
2010157162.tif 000004
【図３】
2010157162.tif 000005